(57)【要約】【課題】ドーム状筐体内に収納したビデオカメラのレンズ前面やドームカバーの内面に対して結露や温度上昇を小型で簡単な構造により防止する。【解決手段】ドームカバー１３を有するドーム状筐体１１内に設けられたベース板１６と、前記ベース板１６に対して回転自在に設けられたパンシャーシ２３と、前記パンシャーシ２３を回転駆動させるパン駆動機構部Ｇ１と、前記パンシャーシ２３、又は、このパンシャーシ２３に取り付けられたチルトシャーシ２９に支持されたビデオカメラ１４と、前パンシャーシ２３に一体的に取り付けられ、空気Ａをビデオカメラ１４のレンズ前面１４及び前記ドームカバー１３の内面１３ｂに向けて吹き付けるファン２８とを備えたことを特徴とする監視カメラ装置１０を提供する。【選択図】図２
2009135723.tif 000002
【特許請求の範囲】
【請求項１】
ドームカバーを有するドーム状筐体又は撮影窓を有するボックス状筐体内に設けられたベース板と、
前記ベース板に対して回転自在に設けられたパンシャーシと、
前記パンシャーシを回転駆動させるパン駆動機構部と、
前記パンシャーシ、又は、このパンシャーシに取り付けられたチルトシャーシに支持され、レンズ鏡筒部分にテーパが設けられたビデオカメラと、
前記パンシャーシに一体的に取り付けられ、空気を前記テーパに沿わせて前記ビデオカメラのレンズ前面と、前記ドームカバーの内面又は前記撮影窓の内面とに向けて吹き付けるファンと、
を備えたことを特徴とする監視カメラ装置。
【請求項２】
前記パンシャーシを所定の角度以上回転させた場合に、前記ファンを所定の回転数で回転させるように制御すると共に、前記ファンの動作時間が予め設定した所定の時間経過後に該ファンの回転数を減速させるか又は停止させる制御部を備えたことを特徴とする請求項１記載の監視カメラ装置。
【請求項３】
前記パンシャーシを定期的に回転させて、この定期的な回転時に前記ファンを動作させる制御部を備えたことを特徴とする請求項１記載の監視カメラ装置。
【発明の詳細な説明】
【技術分野】
【０００１】
本発明は、ドーム状筐体又はボックス状筐体内に収納したビデオカメラの光軸を少なくともパン方向に適宜変えて周辺の映像を撮影できる監視カメラ装置において、ドーム状筐体内に収納したビデオカメラのレンズ前面やドームカバーの内面に対して結露や温度上昇を簡単且つ小型な構造により防止できるように構成した監視カメラ装置に関するものである。
【背景技術】
【０００２】
一般的に、防犯・防災用警報システム等で、映像信号入力装置として、ドームカバーを有するドーム状筐体又は撮影窓を有するボックス状筐体内にビデオカメラを収納し、且つ、このビデオカメラの光軸を、ドーム状筐体又はボックス状筐内に水平に設けたベース板に対して略平行に回転させるパン方向と、前記したベース板に対して略直角に回転させるチルト方向とに任意に変えて、周辺の映像を撮影できる監視カメラ装置があり、この種の監視カメラは多数の人が出入りする場所などに取り付けられている。
【０００３】
この際、ドーム状筐体は人が監視されている印象をボックス状筐体よりも緩和でき、且つ、外観的に違和感なく配慮されているものである。
【０００４】
ところで、監視カメラをとくに屋外などに設置した場合、外気温の変動によりドーム状筐体又はボックス状筐体内に結露が生じてビデオカメラのレンズ前面が曇ることがあり、これにより監視映像が不鮮明となり実用に耐えなくなってしまう。
【０００５】
この結露対策を施した監視カメラ装置の一例として、ドーム内に方向変更可能なレンズを収納し、且つ、このレンズの近傍にファンヒータユニットを取り付け、更に、レンズの脇にレンズと共に方向を変えるようにスリップカラーで保持されてファンヒータユニットからの温風を吐出するノズルを取り付けることで、ノズルから温風がレンズ及びドーム内に吹き付けられ、これによりレンズ及びドーム内の結露を防止できるカメラ装置及び結露防止装置がある（例えば、特許文献１参照）。
【０００６】
また、結露対策を施した監視カメラ装置の他例として、撮影カメラ及びカバーとしてのカメラハウジングを、駆動軸を用いて回動させる雲台装置において、雲台側に設けた送風ファンからの空気を駆動軸の中心部に設けた導入孔を介してカメラハウジング内へ導入し且つカメラハウジング内の空気を駆動軸の中心部に設けた排気孔を介して雲台側に排出することで、カメラハウジング内の換気を行うことができる雲台装置がある（例えば、特許文献２参照）。
【０００７】
【特許文献１】特開２００５−２１５４６３号公報
【特許文献２】特開平９−１４９３０１号公報
【発明の開示】
【発明が解決しようとする課題】
【０００８】
ところで、上記した特許文献１に開示されたカメラ装置及び結露防止装置では、ドーム内でファンヒータユニットからの温風をノズルを介してレンズ及びドーム内に吹き付けることで、レンズ及びドーム内の結露を防止できるものの、ファンヒータユニットからの温風を吐出するノズルをレンズと一体に方向転換させるためにスリップカラーをレンズに保持させる必要があり、これにより、ノズル保持機構が複雑となると共に、ノズル保持機構により重量が増加してしまうのでレンズ方向転換用の駆動力も大きくなるために、装置が大型化する問題が生じる。
【０００９】
また、上記した特許文献２に開示された雲台装置では、雲台側に設けた送風ファンからの空気を駆動軸内に設けた導入孔及び排気孔を介してカメラハウジング内に対して出し入れしているので、カメラハウジング内に取り付けた撮影窓の曇り止めを行うことができるものの、雲台側とカメラハウジング側とを連結する駆動軸内に導入孔及び排気孔を設ける必要があるために、駆動軸の構造が複雑になると共に、一般的に駆動軸はカメラ側の配線を外部に引き出すために使われるものであるから、更に、空気を挿脱するには駆動軸の構造がより複雑になって、装置のコストが高くなってしまう。
【００１０】
そこで、本発明は上記問題に鑑みてなされたものであり、特にドーム状筐体又はボックス状筐内に収納したビデオカメラの光軸を少なくともパン方向に適宜変えて周辺の映像を撮影できる監視カメラ装置において、ドーム状筐体内に収納したビデオカメラのレンズ前面やドームカバーの内面に対して結露や温度上昇を簡単且つ小型な構造により防止できるように構成した監視カメラ装置を提供することを目的とする。
【課題を解決するための手段】
【００１１】
本発明は以下の特徴を有するものである。
【００１２】
第１の発明は、ドームカバーを有するドーム状筐体又は撮影窓を有するボックス状筐体内に設けられたベース板と、
前記ベース板に対して回転自在に設けられたパンシャーシと、
前記パンシャーシを回転駆動させるパン駆動機構部と、
前記パンシャーシ、又は、このパンシャーシに取り付けられたチルトシャーシに支持され、レンズ鏡筒部分にテーパが設けられたビデオカメラと、
前記パンシャーシに一体的に取り付けられ、空気を前記テーパに沿わせて前記ビデオカメラのレンズ前面と、前記ドームカバーの内面又は前記撮影窓の内面とに向けて吹き付けるファンと、
を備えたことを特徴とする監視カメラ装置である。
【００１３】
また、第２の発明は、上記した第１の発明の監視カメラ装置において、
前記パンシャーシを所定の角度以上回転させた場合に、前記ファンを所定の回転数で回転させるように制御すると共に、前記ファンの動作時間が予め設定した所定の時間経過後に該ファンの回転数を減速させるか又は停止させる制御部を備えたことを特徴とする監視カメラ装置である。
【００１４】
また、第３の発明は、上記した第１の発明の監視カメラ装置において、
前記パンシャーシを定期的に回転させて、この定期的な回転時に前記ファンを動作させる制御部を備えたことを特徴とする監視カメラ装置である。
【発明の効果】
【００１５】
上記した第１の発明の監視カメラ装置によると、パンシャーシに一体的に取り付けたファンからの空気をビデオカメラのレンズ鏡筒部分に設けたテーパに沿わせて、ビデオカメラのレンズ前面と、ドームカバーの内面又は撮影窓の内面とに吹き付けているので、パンシャーシに取り付けたファンによる簡単且つ小型な構造によりビデオカメラのレンズ前面やドームカバーの内面又は撮影窓の内面に対して結露や曇りの発生を防止できると共に、ドーム状筐体又はボックス状筐体内の温度上昇を防止できる。これにより、ビデオカメラで鮮明な監視映像が得られるので、監視カメラ装置の性能向上に寄与できる。
【００１６】
また、上記した第２の発明の監視カメラ装置によると、パンシャーシを所定の角度以上回転させた場合に、ファンを所定の回転数で回転させるように制御すると共に、ファンの動作時間が予め設定した所定の時間経過後にファンの回転数を減速させるか又は停止させる制御部を備えているので、上記した第１の発明の効果の他に、更に、ファンの消費電力を低減でき、且つファンの動作音を低減できる。
【００１７】
更に、上記した第３の発明の監視カメラ装置によると、パンシャーシを定期的に回転させて、この定期的な回転時にファンを動作させる制御部を備えているので、上記した第１の発明の効果の他に、更に、ドーム状筐体又はボックス状筐体内の結露や曇りを定期的に防止又は除去ることができる。
【発明を実施するための最良の形態】
【００１８】
以下に本発明に係る監視カメラ装置の一実施例について、図１〜図４を参照して詳細に説明する。
【実施例】
【００１９】
図１は本発明に係る実施例の監視カメラ装置の外観形状を示した斜視図、
図２は本発明に係る実施例の監視カメラ装置の断面を示した構成図である。
【００２０】
図１に示した如く、本発明に係る実施例の監視カメラ装置１０では、この装置の外観を形成するドーム状筐体１１が、天井などに固定される第１円形鍔部１２ａと内部が空洞の円筒部１２ｂとを樹脂成形により一体形成した鍔付き円筒１２と、この鍔付き円筒１２にネジ螺合などにより着脱自在に嵌め込まれ且つ樹脂成形により内部が空洞に形成されたドーム状のドームカバー１３とで一体的に組立てられている。
【００２１】
この際、鍔付き円筒１２の第１円形鍔部１２ａには、天井などに取り付けるための複数の取り付け孔１２ａ１が円周に沿って穿設されている。
【００２２】
そして、ドーム状筐体１１のドームカバー１３内に小型なビデオカメラ１４が水平方向となるパン方向と垂直方向となるチルト方向に回動可能に収納されている。
【００２３】
より具体的に説明すると、図２に断面して示した如く、本発明に係る実施例の監視カメラ装置１０では、ドーム状筐体１１の鍔付き円筒１２に形成した第１円形鍔部１２ａが複数のネジ１５を用いて天井Ｔに取り付けられている。
【００２４】
また、前述したように、ドーム状筐体１１の鍔付き円筒１２に形成した円筒部１２ｂに、ドームカバー１３が着脱自在に嵌め込まれているが、この際、円筒部１２ｂの端部内面に形成した雌ネジ部１２ｃと、ドームカバー１３の端部外面に形成した雄ネジ部１３ａとを螺合させている。
【００２５】
また、監視カメラ装置１０の基台となる平坦なベース板１６が鍔付き円筒１２の内周に沿って形成した第２円形鍔部１２ｄに複数のネジ１７を用いて着脱自在に水平に固着されており、このベース板１６の外周に沿って複数の空気孔１６ａが貫通して穿設されている。
【００２６】
また、ドーム状筐体１１の鍔付き円筒１２に形成した空洞の円筒部１２ｂ内に制御部兼電源部用回路基板１８が配置されており、この制御部兼電源部用回路基板１８は複数のネジ１９と複数のスペーサ２０とによりベース板１６の一方の面１６ｂに固着されている。
【００２７】
また、ベース板１６の他方の面１６ｃには、ビデオカメラ１４や後述するパンモータ２５及びファン２８並びにチルトモータ３４の各配線を制御部兼電源部用回路基板１８に接続するためのスリップリング２１が制御部兼電源部用回路基板１８とは反対側に向かって取り付けられており、且つ、ベース板１６上にスリップリング２１の外周を囲むように回転部取付板２２が固着されている。この際、回転部取付板２２に一体的に突出形成した円筒部２２ａが軸受内輪となっている。
【００２８】
また、ビデオカメラ１４の光軸をパン方向に回転させるためのパンシャーシ２３は、一対の転動ボール２４を介して回転部取付板２２の円筒部２２ａに外接しながら水平方向に例えば３６０°回転可能に取り付けられているので、パンシャーシ２３はベース板１６に対して回転自在に設けられていることになる。
【００２９】
このように、この実施例ではパンシャーシ２３を３６０°回転させているために、ビデオカメラ１４でパン方向に対して広い角度で監視できると共に、後述するファン２８によりドーム状筺体１１内全体に送風できる。
【００３０】
そして、パンシャーシ２３に形成した平坦な部品取り付け部２３ａにパンモータ２５が取り付けられており、このパンモータ２５の駆動力により第１ギア列Ｇ１を介してパンシャーシ２３が回転部取付板２２の円筒部２２ａを中心にして回転することで、このパンシャーシ２３の上方で後述するチルトシャーシ２９に支持されたビデオカメラ１４がパン方向（水平方向）に回転自在になっている。
【００３１】
この際、上記した第１ギア列Ｇ１は、パンモータ２５の軸に固着したギア２６と、中間ギア２７と、パンシャーシ２３と一体なギア部２３ｂとで構成されているので、パンモータ２５と第１ギア列Ｇ１によりパン駆動機構部が構成されている。
【００３２】
また、パンシャーシ２３に形成した平坦な部品取り付け部２３ａの一端側の外周部位には、一つの空気孔２３ｃが貫通して穿設されており、この空気孔２３ｃに対応させて実施例の要部となる小型なファン２８がビデオカメラ１４側及びドームカバー１３の内面１３ｂ側に向かって部品取り付け部２３ａに一体的に取り付けられている。
【００３３】
また、パンシャーシ２３に形成した平坦な部品取り付け部２３ａの他端側の外周部位には、チルトシャーシ２９がドームカバー１３側に向かってネジ３０を介して垂設されている。このチルトシャーシ２９には、軸受部２９ａがパンシャーシ２３と略平行に一体的に突出形成されている。
【００３４】
また、ビデオカメラ１４のレンズ鏡筒部分に相当する外枠部１４ａにはチルト軸３１が横架されて、このチルト軸３１に固着したギア体３２のボス部３２ａが一対の転動ボール３３を介してチルトシャーシ２９の軸受部２９ａに回転可能に支持されている。
【００３５】
そして、チルトシャーシ２９に取り付けたチルトモータ３４の駆動力により第２ギア列Ｇ２を介してビデオカメラ１４がチルトシャーシ２９の軸受部２９を中心にしてパン方向に対して略垂直なチルト方向に例えば９０°程度回転可能になっている。
【００３６】
この際、上記した第２ギア列Ｇ２は、チルトモータ３４の軸に固着したギア３５と、中間ギア３６と、ギア体３２と一体なギア部３２ｂとで構成されているので、チルトモータ３４と第２ギア列Ｇ２によりチルト駆動機構部が構成されている。
【００３７】
また、ビデオカメラ１４の外枠部１４ａは、チルト軸３１が横架された部位よりもレンズ前面１４ｂ側、すなわちレンズ鏡筒部分において、図２に示した如くレンズ前面１４ｂ側に向うほど先細くなるテーパが設けられていることが望ましい。
【００３８】
上記のように構成した本発明に係る実施例の監視カメラ装置１０では、パンシャーシ２３に一体的に取り付けた小型なファン２８がパンシャーシ２３と一体にパン方向に例えば３６０°に亘って回転可能になっていると共に、ドーム状筐体１１の鍔付き円筒１２に形成した空洞の円筒部１２ｂ内の空気Ａをファン２８によりベース板１６に穿設した空気孔１６ａ及びパンシャーシ２３に穿設した空気孔２３ｃを通して吸い込み、更に、ファン２８によりこの空気Ａをビデオカメラ１４のレンズ鏡筒部分に相当する外枠部１４ａ中でレンズ前面１４ｂ側に向かうほど先細くなるように設けたテーパに沿わせて、ビデオカメラ１４のレンズ前面１４ｂ及びドームカバー１３の内面１３ｂに吹き付けた後に、ベース板１６に穿設した空気孔１６ａを通して空洞の円筒部１２ｂ内に戻して、空気Ａをドーム状筐体１１内で循環させているので、パンシャーシ２３に取り付けた小型なファン２８による簡単且つ小型な構造によりビデオカメラ１４のレンズ前面１４ｂやドームカバー１３の内面１３ｂに対して結露や曇りの発生を防止できると共に、ドーム状筐体１１内の温度上昇を防止できる。これにより、ビデオカメラ１４で鮮明な監視映像が得られるので、実施例の監視カメラ装置１０の性能向上に寄与できる。
【００３９】
特に、ビデオカメラ１４の外枠部１４ａのレンズ前面１４ｂ側にテーパが設けられている場合は、ファン２８からの空気Ａがテーパに沿って流れるため、空気Ａを更に効率よくドームカバー１３の内面１３ｂ及びビデオカメラ１４のレンズ前面１４ｂに導くことができる。尚、図２に示した空気Ａの流れは、ビデオカメラ１４が鉛直下方を向いた場合の流れを示したものである。
【００４０】
この際、上記したファン２８を常時最大回転数で回転させれば消費電力が大きくなってしまうし、又、ファン２８の動作音が大きくなり騒音の発生源となってしまう。通常、ファン２８からの送風によりビデオカメラ１４のレンズ前面１４ｂ及びドームカバー１３の内面１３ｂの結露や曇りが取れると、その後は微風でも曇ることがないので、ファン２８からの送風を停止しても良い。
【００４１】
そこで、ビデオカメラ１４に対して少なくともパンシャーシ２３を所定の角度（例えば１０°）以上回転させた際に、ファン２８を所定の回転数として例えば最大回転数で回転させるように制御部兼電源部用回路基板１８を介して制御し、且つファン２８の動作時間を制御部兼電源部用回路基板１８内に設けた不図示のタイマーで計測する。そして、ファン２８の動作時間が予め設定した所定の時間経過後にファン２８の回転数を減速させたり又は停止させるように制御部兼電源部用回路基板１８を介して制御すれば、ファン２８の消費電力を低減でき、且つ、ファン２８の動作音を低減できる。
【００４２】
また、少なくともパンシャーシ２３を制御部兼電源部用回路基板１８内に設けた不図示のメモリからの指令により定期的に３６０°回転させて、この定期的な回転時にファン２８を動作させれば、ドーム状筐体１１内の結露や曇りを定期的に取ることができる。
【００４３】
更に、監視カメラ装置１０を寒冷地で使用する場合には、ファン２８と共に不図示のヒータを組み合わせれば、ドーム状筐体１１内でより一層迅速に結露や曇り取ることができる。
【００４４】
尚、この実施例では、ビデオカメラ１４をドームカバー１３を有するドーム状筐体１１内に収納しているが、ドーム状筐体１１に代えて、ここでの図示を省略するものの、撮影窓を有するボックス状筐体内にビデオカメラを収納して、パンシャーシに取り付けた小型なファンからの空気をビデオカメラのレンズ前面と撮影窓の内面と向けて吹き付けても良い。
【００４５】
尚また、この実施例では、小型なビデオカメラ１４をパンシャーシ２３に取り付けたチルトシャーシ２９に支持させているが、小型なビデオカメラ１４に広角レンズを使用した場合には、ビデオカメラ１４の光軸をチルト方向に回転させる必要もなくなるので、この場合には、ビデオカメラ１４を例えば３６０°回転可能なパンシャーシ２３に直接取り付ければ良く、この場合でも本発明の要部となる小型のファン２８をパンシャーシ２３に一体的に取り付ければ良いものであり、これに伴って、実施例の監視カメラ装置１０では、ビデオカメラ１４を支持したパンシャーシ２３とパン駆動機構とを少なくとも備えていれば良いものである。
【００４６】
次に、本発明に係る実施例の監視カメラ装置を一部変形させた変形例の監視カメラ装置について、図３及び図４を用いて簡略に説明する。
【００４７】
図３は本発明に係る実施例の監視カメラ装置を一部変形させた変形例の監視カメラ装置の外観形状を示した斜視図、
図４は本発明に係る実施例の監視カメラ装置を一部変形させた変形例の監視カメラ装置の断面を示した構成図である。
【００４８】
図３及び図４に示した如く、実施例を一部変形させた変形例の監視カメラ装置１０’は、先に説明した実施例の監視カメラ装置１０の構成と一部を除いて同様の構成であり、ここでは説明の便宜上、先に示した構成部材に対しては同一の符号を付して図示のみとし、且つ、実施例に対して異なる構成部材に新たな符号を付して、実施例に対して異なる点についてのみ説明する。
【００４９】
図３及び図４に示した如く、実施例を一部変形させた変形例の監視カメラ装置１０’では、この装置の外観を形成するドーム状筐体１１’が、天井などに固定される第１円形鍔部１２ａと内部が空洞の円筒部１２ｂとを樹脂成形により一体形成した鍔付き円筒１２と、この鍔付き円筒１２にネジ螺合（図示せず）などにより着脱自在に嵌め込まれ且つ樹脂成形により内部が空洞に形成されたドーム状のドームカバー１３とで一体的に組立てられている。
【００５０】
この際、鍔付き円筒１２の第１円形鍔部１２ａに複数の取り付け孔１２ａ１が円周に沿って穿設されていると共に、実施例と異なって、円筒部１２ｂに複数の空気孔１２ｂ１が外部と内部との間を貫通して円周に沿って穿設されている。
【００５１】
また、鍔付き円筒１２の円筒部１２ｂに穿設した複数の空気孔１２ｂ１に対応して複数のフィルタ３７が円筒部１２ｂの内面に取り付けられており、これら複数のフィルタ３７は鍔付き円筒１２の円筒部１２ｂに形成した複数の取り付け孔１２ｂ１から外部の空気Ａを取り込む際に塵埃がドーム状筐体１１’内に進入することを防止している。
【００５２】
そして、ドーム状筐体１１のドームカバー１３内にビデオカメラが水平方向となるパン方向と垂直方向となるチルト方向に回動可能に収納されている。
【００５３】
従って、この変形例では、鍔付き円筒１２の円筒部１２ｂに穿設した複数の取り付け孔１２ｂ１及びこれと対応して取り付けた複数のフィルタ３７のみが実施例に対して異なっているだけである。
【００５４】
上記のように構成した変形例の監視カメラ装置１０’でも、パンシャーシ２３に一体的に取り付けた小型なファン２８がパンシャーシ２３と一体にパン方向に例えば３６０°に亘って回転可能になっていると共に、ドーム状筐体１１’の鍔付き円筒１２の円筒部１２ｂに形成した複数の取り付け孔１２ｂ１から外部の空気Ａを複数のフィルタ３７を介して空洞の円筒部１２ｂ内に取り込んで、空洞の円筒部１２ｂ内の空気Ａをファン２８によりベース板１６に穿設した空気孔１６ａ及びパンシャーシ２３に穿設した空気孔２３ｃを通して吸い込み、更に、ファン２８によりこの空気Ａをビデオカメラ１４のレンズ鏡筒部分に相当する外枠部１４ａ中でレンズ前面１４ｂ側に向かうほど先細くなるように設けたテーパに沿わせて、ビデオカメラ１４のレンズ前面１４ｂ及びドームカバー１３の内面１３ｂに吹き付けた後に、ベース板１６に穿設した空気孔１６ａを通して空洞の円筒部１２ｂ内に戻し、更に、複数のフィルタ３７を介して円筒部１２ｂに形成した複数の取り付け孔１２ｂ１から外部に排出することで、パンシャーシ２３に取り付けた小型なファン２８による簡単且つ小型な構造によりビデオカメラ１４のレンズ前面１４ｂやドームカバー１３の内面１３ｂに対して結露や曇りの発生を防止できると共に、外部からの空気をフィルタリングしてドーム状筐体１１内に取りこんでいるので、ドームカバー１３の内面１３ｂやビデオカメラ１４のレンズ前面１４ｂへの塵埃の付着を防止することができる。これにより、ビデオカメラ１４で鮮明な監視映像が得られるので、実施例を一部変形させた変形例の監視カメラ装置１０’の性能向上に寄与できる。
【図面の簡単な説明】
【００５５】
【図１】本発明に係る実施例の監視カメラ装置の外観形状を示した斜視図である。
【図２】本発明に係る実施例の監視カメラ装置の断面を示した構成図である。
【図３】本発明に係る実施例の監視カメラ装置を一部変形させた変形例の監視カメラ装置の外観形状を示した斜視図である。
【図４】本発明に係る実施例の監視カメラ装置を一部変形させた変形例の監視カメラ装置の断面を示した構成図である。
【符号の説明】
【００５６】
１０…実施例の監視カメラ装置、
１０’…実施例を一部変形させた変形例の監視カメラ装置、
１１，１１’…ドーム状筐体、
１２，１２’…鍔付き円筒、１２ａ…第１円形鍔部、１２ａ１…取り付け孔、
１２ｂ…円筒部、１２ｂ１…空気孔、１２ｃ…雌ネジ部、１２ｄ…第２円形鍔部、
１３…ドームカバー、１３ａ…雄ネジ部、１３ｂ…内面、
１４…ビデオカメラ、１４ａ…外枠部、１４ｂ…レンズ前面、１５…ネジ、
１６…ベース板、１６ａ…空気孔、１６ｂ…一方の面、１６ｃ…他方の面、
１７…ネジ、１８…制御部兼電源部用回路基板、１９…ネジ、２０…スペーサ、
２１…スリップリング、２２…回転部取付板、２２ａ…円筒部、
２３…パンシャーシ、２３ａ…部品取り付け部、２３ｂ…ギア部、２３ｃ…空気孔、
２４…転動ボール、２５…パンモータ、２６…ギア、２７…中間ギア、２８…ファン、
２９…チルトシャーシ、２９ａ…軸受部、３０…ネジ、３１…チルト軸、
３２…ギア体、３２ａ…ボス部、３２ｂ…ギア部、３４…チルトモータ、３５…ギア、
３６…中間ギア、３７…フィルタ、
Ａ…空気、Ｇ１…第１ギア列、Ｇ２…第２ギア列。
【図１】
2009135723.tif 000003
【図２】
2009135723.tif 000004
【図３】
2009135723.tif 000005
【図４】
2009135723.tif 000006